(57)【要約】【課題】警備システムの利用者が、あらかじめ用意された非接触型ＩＣチップを利用できなくなった場合にも、利用者自身が警備モード変更装置に用いる非接触型ＩＣチップを用意可能な利便性の高い警備システムを実現する。【解決手段】かざされた非接触型ＩＣチップを警備モード変更装置が認識してから、当該認識が継続される認識継続時間ｔｘに対して、警備操作モードを設定変更するための警備操作モード変更用時間ｔＭと、警備操作モード変更用時間ｔＭより長い親チップ登録用時間ｔｐとが設定され、警備モード変更装置に記憶されていない非接触型ＩＣチップである未登録チップが警備操作モード変更用時間ｔＭを越えて親チップ登録用時間ｔｐより長い間かざされた場合（＃４）に、当該未登録チップを親チップとして記憶する親チップ登録モード（＃５）に切り替わるように構成された警備システム。【選択図】図３
2014132391.tif 000002
【特許請求の範囲】
【請求項１】
警備領域内に設けられた１つ以上のセンサからの入出力に基づいて警備を行う警備モードと、警備を行なわない警備解除モードとからなる警備操作モードを設定変更可能に構成された警備ユニットと、
特定の非接触型ＩＣチップを親チップとして記憶し、前記親チップがかざされた場合に前記警備ユニットにおける前記警備操作モードを設定変更可能に構成された警備モード変更装置と、を備えた警備システムであって、
かざされた前記非接触型ＩＣチップを前記警備モード変更装置が認識してから、当該認識が継続される認識継続時間に関して、
前記警備操作モードを設定変更するための警備操作モード変更用時間と、前記警備操作モード変更用時間より長い親チップ登録用時間とが設定され、
前記警備モード変更装置が、
前記非接触型ＩＣチップがかざされた時間の長短によって設定変更する対象を変更するように構成され、
前記親チップが前記警備操作モード変更用時間より短い間かざされた場合に、前記警備操作モードを設定変更し、
前記警備モード変更装置に記憶されていない非接触型ＩＣチップである未登録チップが前記警備操作モード変更用時間を越えて前記親チップ登録用時間より長い間かざされた場合に、当該未登録チップを前記親チップとして記憶する親チップ登録モードに切り替わるように構成された警備システム。
【請求項２】
前記警備操作モード変更用時間より長い子チップ登録用時間が設定され、
前記警備モード変更装置が、
前記親チップが、前記警備操作モード変更用時間を越えて前記子チップ登録用時間より長い間かざされた場合に、子チップ登録モードに切り替わるように構成され、
前記子チップ登録モードにおいて、前記未登録チップがかざされた場合に、当該未登録チップを子チップとして記憶し、
前記子チップがかざされた場合に、前記警備操作モードを設定変更するように構成された請求項１に記載の警備システム。
【請求項３】
前記警備モード変更装置が、
前記親チップ登録モードにおいて、前記未登録チップを前記親チップとして記憶する際に、記憶している前記子チップの情報を全て消去するように構成された請求項２に記載の警備システム。
【請求項４】
前記警備モード変更装置が、
前記子チップ登録モードにおいて、前記親チップがかざされた場合に、記憶している前記非接触型ＩＣチップの情報を全て消去するように構成された請求項２または３に記載の警備システム。
【請求項５】
前記警備モード変更装置が、
前記警備ユニットが前記警備モードに設定されている場合には、前記警備操作モードの設定変更のみを実行可能に構成された請求項１〜４のいずれか一項に記載の警備システム。
【請求項６】
前記警備ユニットが、
前記１つ以上のセンサからの出力が全て正常であるか否かを確認するセンサ確認手段を備え、
前記警備モード変更装置が、
当該センサ確認手段が前記センサの全てが正常であることを確認できたか否かを示す確認信号を受信する確認信号受信手段と、
前記確認信号受信手段が前記確認信号を受信した場合に、前記確認信号の正否を外部に表示する確認信号表示手段と、を備えた請求項１〜５のいずれか一項に記載の警備システム。
【請求項７】
前記警備モード変更装置が、
ガスメータに併設された伝送盤に接続され、当該伝送盤を介して、前記警備ユニットの前記警備操作モードの設定変更を可能に構成された請求項１〜６のいずれか一項に記載の警備システム。
【請求項８】
前記警備モード変更装置が、
監視用センサの出力を受信するセンサ出力受信手段と、
前記センサ出力受信手段が受信した前記監視用センサの出力変化が特定時間内に少なくとも１度生じるか否かを確認するセンサ出力確認手段と、
前記伝送盤、又は前記警備ユニットを介して前記センサ出力確認手段の確認結果を外部に送信するセンサ出力確認結果送信手段と、を備えた請求項７に記載の警備システム。
【請求項９】
前記警備モード変更装置が、
前記センサ出力確認手段が用いる前記特定時間を変更するためのスイッチング手段と、
前記スイッチング手段により前記特定時間を異なる時間に変更後、前記特定時間に戻した場合に、前記特定時間を動作テスト用に設けられた動作テスト用時間に一時的に設定する動作時間設定手段と、を備えた請求項８に記載の警備システム。
【発明の詳細な説明】
【技術分野】
【０００１】
本発明は、警備領域内に設けられた１つ以上のセンサからの入出力に基づいて警備を行う警備モードと、警備を行なわない警備解除モードとからなる警備操作モードを設定変更可能に構成された警備ユニットと、特定の非接触型ＩＣチップを親チップとして記憶し、前記親チップがかざされた場合に前記警備ユニットにおける前記警備操作モードを設定変更可能に構成された警備モード変更装置と、を備えた警備システムに関する。
【背景技術】
【０００２】
一般的に、警備システムにおいては、当該警備システムの利用者が外出及び帰宅する際に、警備ユニットを警備モードまたは警備解除モードに設定変更するため、出入口付近に設けられた警備モード変更装置を操作するように構成されている。この警備モード変更装置の操作をより簡便とするため、特許文献１に示すように、警備モードと警備解除モードとの設定変更に非接触型ＩＣチップを用いる警備システムが知られている。
【先行技術文献】
【特許文献】
【０００３】
【特許文献１】特開２００６−２８５６９８号公報
【発明の概要】
【発明が解決しようとする課題】
【０００４】
しかしながら、上述の警備モード変更装置を用いる警備システムにおいては、警備モード変更装置と合わせ、当該警備モード変更装置と対となる特定の非接触型ＩＣチップを、警備会社があらかじめ用意する必要があった。このため、利用者が、用意された非接触ICチップを紛失などの理由で利用できなくなった場合には、新たに非接触ＩＣチップを警備会社に用意してもらう必要があり、利用者及び警備会社の双方にとって時間的及び金銭的コストがかかる上、利便性に欠けるという問題があった。
【０００５】
本発明は上記問題点に鑑みてなされたものであり、警備システムの利用者が、あらかじめ用意された非接触型ＩＣチップを利用できなくなった場合にも、利用者自身が警備モード変更装置に用いる非接触型ＩＣチップを用意可能な利便性の高い警備システムを実現することを目的とする。
【課題を解決するための手段】
【０００６】
本発明に係る警備システムの特徴は、警備領域内に設けられた１つ以上のセンサからの入出力に基づいて警備を行う警備モードと、警備を行なわない警備解除モードとからなる警備操作モードを設定変更可能に構成された警備ユニットと、特定の非接触型ＩＣチップを親チップとして記憶し、前記親チップがかざされた場合に前記警備ユニットにおける前記警備操作モードを設定変更可能に構成された警備モード変更装置と、を備えた警備システムであって、かざされた前記非接触型ＩＣチップを前記警備モード変更装置が認識してから、当該認識が継続される認識継続時間に関して、前記警備操作モードを設定変更するための警備操作モード変更用時間と、前記警備操作モード変更用時間より長い親チップ登録用時間とが設定され、前記警備モード変更装置が、前記非接触型ＩＣチップがかざされた時間の長短によって設定変更する対象を変更するように構成され、前記親チップが前記警備操作モード変更用時間より短い間かざされた場合に、前記警備操作モードを設定変更し、前記警備モード変更装置に記憶されていない非接触型ＩＣチップである未登録チップが前記警備操作モード変更用時間を越えて前記親チップ登録用時間より長い間かざされた場合に、当該未登録チップを前記親チップとして記憶する親チップ登録モードに切り替わるように構成された点にある。
【０００７】
上記特徴構成によれば、警備システムの利用者は、警備モード変更装置に記憶されていない非接触型ＩＣチップを親チップ登録用時間より長い間警備モード変更装置にかざすことで、親チップとして使うことができる。すなわち、親チップが利用できなくなった場合でも、利用者は、保有している非接触型ＩＣチップを新たに親チップとして使うことができる。
また、親チップ登録用時間は、警備操作モード変更用時間より長く設定されているので、利用者が、警備モード変更装置を親チップ登録モードに切り替える場合と、警備ユニットの警備操作モードの設定変更を行う場合とを意識的に区別し易くなる。
このように、警備システムの利用者が、あらかじめ用意された非接触型ＩＣチップを利用できなくなった場合にも、利用者自身が警備モード変更装置に用いる非接触型ＩＣチップを用意可能な利便性の高い警備システムを実現することができる。
【０００８】
さらなる特徴は、前記警備操作モード変更用時間より長い子チップ登録用時間が設定され、前記警備モード変更装置が、前記親チップが、前記警備操作モード変更用時間を越えて前記子チップ登録用時間より長い間かざされた場合に、子チップ登録モードに切り替わるように構成され、前記子チップ登録モードにおいて、前記未登録チップがかざされた場合に、当該未登録チップを子チップとして記憶し、前記子チップがかざされた場合に、前記警備操作モードを設定変更するように構成された点にある。
【０００９】
上記特徴構成によれば、親チップとは別に、警備モード変更装置による警備操作モードの設定変更を行える子チップを用意することができる。よって、警備システムの利用者が複数人存在する場合においても利便性の高い警備システムを実現することができる。
【００１０】
さらなる特徴は、前記警備モード変更装置が、前記親チップ登録モードにおいて、前記未登録チップを前記親チップとして記憶する際に、記憶している前記子チップの情報を全て消去するように構成された点にある。
【００１１】
上記特徴構成によれば、親チップを登録する際には、以前に登録した子チップの情報が全て削除される。よって、親チップの登録後、必要に応じて子チップを登録し直す必要が生じる。このため、親チップが登録された際に、それ以前に登録された子チップの情報が登録されたままとなり、利用者に混乱を与えるおそれを軽減できる。よって、利便性の高い警備システムを実現することができる。
【００１２】
また別の特徴は、前記警備モード変更装置が、前記子チップ登録モードにおいて、前記親チップがかざされた場合に、記憶している前記非接触型ＩＣチップの情報を全て消去するように構成された点にある。
【００１３】
上記特徴構成によれば、親チップの利用者は、例えば、子チップを登録し直したい場合など必要に応じて非接触型ＩＣチップの情報を全て削除することができる。よって、親チップを用いる利用者が警備モード変更装置に登録する子チップを容易に入れ替えることができる利便性の高い警備システムを実現することができる。
【００１４】
さらに、別の特徴は、前記警備モード変更装置が、前記警備ユニットが前記警備モードに設定されている場合には、前記警備操作モードの設定変更のみを実行可能に構成された点にある。
【００１５】
上記特徴構成によれば、警備ユニットが警備モードの場合には、親チップなどの登録を行うことができなくなる。すなわち、強制的に警備解除モードにおいて、親チップなどの登録を行うこととなる。これにより、警備モード中に、例えば、侵入者などの警備システムの利用者以外によって、親チップなどの登録情報が書き換えられるというおそれを軽減できる。すなわち、利便性を高めつつ、より安全性の高い警備システムを実現することができる。
【００１６】
また、別の特徴は、前記警備ユニットが、前記１つ以上のセンサからの出力が全て正常であるか否かを確認するセンサ確認手段を備え、前記警備モード変更装置が、当該センサ確認手段が前記センサの全てが正常であることを確認できたか否かを示す確認信号を受信する確認信号受信手段と、前記確認信号受信手段が前記確認信号を受信した場合に、前記確認信号の正否を外部に表示する確認信号表示手段と、を備えた点にある。
【００１７】
上記特徴構成によれば、警備システムの利用者は、例えば、外出時など、警備モード変更装置により警備解除モードから警備モードに設定変更する際に、警備領域内に設けられたセンサが正常であるか否かを把握することができる。これにより、例えば、窓が開いたままとなっており窓センサが異常を示している場合など、センサが異常を感知している場合には、利用者は外出前に気付くことができる。このように、警備モードが正常に機能するかを利用者が外出前に確認できる利便性の高い警備システムを実現することができる。
【００１８】
さらに、別の特徴は、前記警備モード変更装置が、ガスメータに併設された伝送盤に接続され、当該伝送盤を介して、前記警備ユニットの前記警備操作モードの設定変更を可能に構成された点にある。
【００１９】
上記特徴構成によれば、警備ユニットが警備操作モードの設定変更を遠隔から実行可能に構成されていない場合であっても、警備システムの利用者は、警備モード変更装置を介して、遠隔から警備ユニットの警備操作モードを設定変更することが可能となる。すなわち、より利便性の高い警備システムを実現することができる。
【００２０】
さらに、別の特徴は、前記警備モード変更装置が、監視用センサの出力変化を受信するセンサ出力受信手段と、前記センサ出力受信手段が受信した前記監視用センサの出力変化が特定時間内に少なくとも１度生じるか否かを確認するセンサ出力確認手段と、前記伝送盤、又は前記警備ユニットを介して前記センサ出力確認手段の確認結果を外部に送信するセンサ出力確認結果送信手段と、を備えた点にある。
【００２１】
上記特徴構成によれば、警備モード変更装置は、例えば、トイレのドアの開閉を監視するマグネットセンサなどの監視用センサの出力変化が、特定時間内に少なくとも１度生じるか否かを確認できる。そして、当該確認結果を伝送盤、又は前記警備ユニットを介して、例えば、警備会社へ通報や、警備システムの利用者の携帯電話などの情報通信機器への送信が可能となる。すなわち、いわゆる警備領域内の住民に対するライフ監視機能を実現でき、より利便性の高い警備システムを実現することができる。
【００２２】
さらなる特徴は、前記警備モード変更装置が、前記センサ出力確認手段が用いる前記特定時間を変更するためのスイッチング手段と、前記スイッチング手段により前記特定時間を異なる時間に変更後、前記特定時間に戻した場合に、前記特定時間を動作テスト用に設けられた動作テスト用時間に一時的に設定する動作時間設定手段と、を備えた点にある。
【００２３】
上記特徴構成によれば、センサ出力確認手段の動作テストを行う際に、動作テスト用時間の設定を、スイッチング手段により特定時間を一旦変更し、戻すことで実現できる。このため、動作テストのために、特定時間を変更し、テスト終了後に特定時間を戻し忘れてしまうことを回避できる。
【図面の簡単な説明】
【００２４】
【図１】本発明の実施形態に係る警備システムの概略図
【図２】本発明の実施形態に係る警備システムのブロック図
【図３】本発明の実施形態に係る警備モード変更装置のフローチャート図
【図４】本発明の実施形態における親チップの登録の流れを示す図
【図５】本発明の実施形態における子チップ登録モードへの切り替えの流れを示す図
【図６】本発明の実施形態における全ＩＤ削除の流れを示す図
【図７】本発明の実施形態における子チップの登録の流れを示す図
【図８】本発明の実施形態に係るスイッチング手段の概略図
【図９】本発明の実施形態に係るライフ監視機能の動作を示す図
【図１０】本発明の実施形態に係る動作テスト用期間設定手段の動作を示す図
【発明を実施するための形態】
【００２５】
１．警備システムの概略
以下では本願発明に係る警備システム１を、図を用いて説明する。警備システム１は、大きく分けて、１つ以上のセンサ６からの入出力に基づいて警備を行う警備ユニット３と、警備ユニット３が警備を行うか否かを変更するための警備モード変更装置２との２つから構成される。
【００２６】
本実施形態においては、警備モード変更装置２は、ガスメータ４の検針システム（図１におけるガスメータ４及び伝送盤５）と電気的に接続されている。具体的には、警備モード変更装置２は、伝送盤５を介して外部の通信網と接続可能に構成されている。また、警備ユニット３は、図示するようにディスプレイを備えたインターホンと一体として構成されている。ここで、伝送盤５は、通常、ガスメータ４の自動検針のために用いられる外部との通信手段として構成されており、通信回線と接続され外部ネットワークと通信可能に構成されている。
【００２７】
警備ユニット３は、警備領域内に設けられた１つ以上のセンサ６からの入出力に基づいて警備を行う警備モードＡと、警備を行なわない警備解除モードＢとを設定変更可能に構成される。本願発明においては、警備モードＡ及び警備解除モードＢを警備操作モードＭと呼ぶ。すなわち、警備ユニット３は、警備操作モードＭを設定変更可能に構成される。ここで、センサ６としては、人感センサ、赤外線センサ及びマグネットセンサなどの各種センサを用いることができる。本実施形態においては、センサ６として、玄関のドアの開閉を検知するマグネットセンサ（図１中『玄関マグネット』）及び、窓の開閉を検知するマグネットセンサ（図１中『窓マグネット』）を用いた場合の構成を示す。
【００２８】
警備ユニット３は、警備モードＡにおいては、センサ６からの異常を示す出力があった場合に、警報を発報するように構成されている。具体的には、警報の内容を、スピーカから音声として出力、ディスプレイに表示、もしくは通信回線を介して警備システム１を提供する警備会社に通報するように構成されている。一方、警備解除モードＢにおいては、センサ６の出力に対して何も行わないように構成されている。
【００２９】
警備モード変更装置２は、図２に示すように、非接触型ＩＣチップ４０の情報を読み取り可能なＩＣチップリーダ２０を備え、警備システム１の利用者が非接触型ＩＣチップ４０を警備モード変更装置２にかざした際に、当該非接触型ＩＣチップ４０の情報を認識するように構成されている。ここで、本実施形態においては「非接触型ＩＣチップ４０の情報」としては、非接触型ＩＣチップ４０ごとに割り当てられた固有のＩＤを用いる。
【００３０】
警備システム１の利用者は、警備モード変更装置２にかざす非接触型ＩＣチップ４０としては、非接触型ＩＣチップ４０が内蔵された非接触型ＩＣカードや携帯電話などを用いることができる。なお、本願発明に用いる非接触型ＩＣチップ４０には、Ｆｅｌｉｃａ（商標登録）やＭＩＦＡＲＥ（商標登録）などのＮＦＣ（Near Field Communication）を用いると良い。このような共通規格を採用した非接触型ＩＣチップを用いることで、警備システム１の利用者が、本願発明に用いる非接触型ＩＣチップ４０を容易に調達することができる。
【００３１】
警備モード変更装置２は、半導体メモリからなる記憶領域を備え、特定の非接触型ＩＣチップ４０を親チップｐとして記憶するように構成されている。具体的には、親チップｐとする非接触型ＩＣチップ４０の情報を記憶する。警備モード変更装置２は、親チップｐがかざされた場合には、警備ユニット３における警備操作モードＭを設定変更可能に構成される。
【００３２】
より詳しくは、警備モード変更装置２と警備ユニット３とは信号線７を介して電気的に接続されている。警備モード変更装置２は、警備システム１の利用者によって警備モード変更装置２にかざされた非接触型ＩＣチップ４０の情報と、警備モード変更装置２が記憶する親チップｐの情報とが一致した場合には、信号線７を介して警備ユニット３に対して警備操作モードＭの切り替えを促す信号を送信する。警備ユニット３は、当該信号を受けて、警備ユニット３が備える警備モード設定手段３２により、警備モードＡから警備解除モードＢへ、もしくは警備解除モードＢから警備モードＡへと警備操作モードＭを設定変更する。
【００３３】
２．警備システムの詳細
２−１．警備ユニットの詳細
図２を用いて、警備ユニット３の詳細構成について説明する。警備ユニット３は、警備領域内に設けられた１つ以上のセンサ６と無線または有線を用いて接続され、警備ユニット３とセンサ６との間で信号の入出力が可能に構成されている。
【００３４】
警備ユニット３は、１つ以上のセンサ６からの出力が全て正常であるか否かを確認するセンサ確認手段３１を備える。具体的には、センサ確認手段３１は、警備領域内に設けられた１つ以上のセンサ６全てに対して正常に通電するか否かをチェックするように構成されたループバック回路として実装される。センサ確認手段３１は、通電をチェックした後、センサ６の全てが正常であることを確認できたか否かを示す確認信号ａを警備モード変更装置２に送信するように構成されている。
【００３５】
２−２．警備モード変更装置の詳細
２−２−１．内部構成
警備モード変更装置２は、確認信号受信手段２１と確認信号表示手段２２とを備える。確認信号受信手段２１は、警備ユニット３のセンサ確認手段３１からの確認信号ａを受信するように構成されている。確認信号表示手段２２は、確認信号受信手段２１が確認信号ａを受信した場合に、確認信号ａの存否に従った、正常・異常の判定結果を外部に表示するように構成されている。本実施形態においては、確認信号表示手段２２として、ＬＥＤが設けられている。確認信号表示手段２２としてのＬＥＤは、確認信号受信手段２１が確認信号ａを受信した際、確認信号ａが全てのセンサ６が正常ではないことを示す場合に、点灯または点滅するように構成されている。
【００３６】
２−２−２．外部との接続
警備モード変更装置２は、図１に示すようにガスメータ４に併設された伝送盤５に接続され、当該伝送盤５を介して、警備ユニット３の警備操作モードＭの設定変更を可能に構成される。具体的には、警備モード変更装置２は遠隔操作受付手段２８を備え、遠隔操作受付手段２８が、伝送盤５を介して、警備操作モードＭの設定変更を促すモード変更要求信号ｒを受信可能に構成されている。遠隔操作受付手段２８は、モード変更要求信号ｒを受信すると、警備ユニット３の警備モード設定手段３２に対してモード変更要求信号ｒを送信するように構成されている。このような仕組みにより、警備モード設定手段３２は、例えば、警備システム１の利用者の携帯電話などを用いて外部から警備ユニット３の警備操作モードＭを設定変更可能となる。
【００３７】
２−２−３．ライフ監視機能
警備モード変更装置２は、さらに、監視用センサ６ｘからの出力を受信し、特定時間内に出力変化がない場合に異常と判断し、外部にその旨を送信する機能、いわゆるライフ監視機能を有する。警備モード変更装置２は、ライフ監視機能を実現するためにセンサ出力受信手段２３、センサ出力確認手段２４、及びセンサ出力確認結果送信手段２５を備える。
【００３８】
センサ出力受信手段２３は、監視用センサ６ｘの出力を受信する。ここで、監視用センサ６ｘは警備領域内に設けられたセンサであり、具体的には、警備領域内に存在する居住者の生活動線上に配置されたセンサを用いると良い。例えば、監視用センサ６ｘとして、トイレのドアの開閉を監視するマグネットセンサを用いることができる。
なお、本実施形態おいては、監視用センサ６ｘを、警備目的で設置されたセンサ６とは別に設ける構成としているが、警備解除モードＢにおいて、複数のセンサ６のうちのいずれかを監視用センサ６ｘとして利用する構成としても構わない。
【００３９】
センサ出力確認手段２４は、センサ出力受信手段２３が受信した監視用センサ６ｘの出力変化が特定時間ｔｓ内に少なくとも１度生じるか否かを確認するように構成されている。具体的には、センサ出力確認手段２４は、監視用センサ６ｘとしてドアの開閉を監視するマグネットセンサが用いられている場合に、ドアが閉じていることを検出した際の出力から、ドアが開いていることを検出した際の出力への変化を確認するように構成されている。センサ出力確認手段２４により、特定時間ｔｓ内に一度も監視用センサ６ｘからの出力変化がない場合には、センサ出力確認結果送信手段２５が、伝送盤５を介してセンサ出力確認手段２４の確認結果を外部に送信するように構成されている。具体的には、センサ出力確認結果送信手段２５は、特定時間ｔｓ内に一度も監視用センサ６ｘからの出力変化がない旨を、例えば、警備システム１の利用者の携帯電話に送信するように構成されている。
本実施形態においては、センサ出力確認結果送信手段２５が外部への送信に伝送盤５を介して行う構成を示したが、警備ユニット３が外部と通信可能に構成されている場合には、センサ出力確認結果送信手段２５が警備ユニット３を介して外部へ監視用センサ６ｘからの出力変化がない旨を送信するように構成しても構わない。
なお、本実施形態においては、警備モード変更装置２は、ライフ監視機能を警備解除モードＢにおいてのみ実行するように構成されている。
【００４０】
図９にライフ監視機能の動作例を示す。図９の例では、特定時間ｔｓは１２時間に設定している。図９（Ａ）の「センサー動作（なし）」として示すように、監視用センサ６ｘからの出力変化がない場合には、ライフ監視機能が動作し始めたタイミング（図中「ライフ異常テスト送信」のタイミング）から、特定時間ｔｓ経過後（図中「ライフ異常送信」のタイミング）に、特定時間ｔｓ内に一度も監視用センサ６ｘからの出力変化がない旨を、例えば、警備システム１の利用者の携帯電話に送信する。
【００４１】
また、図中「センサー動作あり」として示すように、ライフ監視機能が動作し始めたタイミング（図中「ライフ異常テスト送信」のタイミング）以降に、監視用センサ６ｘの出力変化があった場合には、最後に監視用センサ６ｘからの出力変化が生じたタイミングから、特定時間ｔｓが経過した後（図中「ライフ異常送信」のタイミング）に、特定時間ｔｓ内に一度も監視用センサ６ｘからの出力変化がない旨を送信する。
【００４２】
２−２−４．動作テスト用期間設定手段
図２に示すように、警備モード変更装置２は、センサ出力確認手段２４が監視用センサ６ｘの出力変化を確認する際の基準として用いる特定時間ｔｓを設定変更可能に構成されている。詳しくは、警備モード変更装置２は、センサ出力確認手段２４が用いる特定時間ｔｓを変更するためのスイッチング手段２７を備える。
【００４３】
本実施形態においては、スイッチング手段２７として、図８に示すように、ディップスイッチを用いる。図８（Ａ）〜（Ｄ）に示すように、２つのスイッチのＯＮ・ＯＦＦの切り替えにより、特定時間ｔｓを４通りに変更可能に構成されている。具体的には、特定時間ｔｓを、図８（Ａ）の場合は設定なし（すなわち、ライフ監視機能を無効）に、図８（Ｂ）の場合は６時間、図８（Ｃ）の場合は１２時間、図８（Ｄ）の場合は２４時間に変更するように構成されている。
【００４４】
さらに、警備モード変更装置２は、スイッチング手段２７により特定時間ｔｓを異なる期間に変更後、元の特定時間ｔｓに戻した場合に、特定時間ｔｓを動作テスト用に設けられた動作テスト用時間ｔｔに一時的に設定する動作時間設定手段２６を備える。具体的には、動作時間設定手段２６は、スイッチング手段２７により一の特定時間ｔｓ１から、異なる特定時間ｔｓ２に変更後、再度、特定時間ｔｓ１に戻した場合に、特定時間ｔｓが動作テスト用時間ｔｔに設定される。ここで、「一時的に」とは、「警備モード変更装置２が監視用センサ６ｘからの出力変化がない旨を１回送信するまでの間」を意味する。
【００４５】
具体例を、図１０に示す。図中「ディップスイッチ操作」として示すタイミングにおいて、例えば、特定時間ｔｓを１２時間から２４時間に変更後、再度１２時間に変更すると、特定時間ｔｓが、動作テスト用時間ｔｔに設定される。ここでは、動作テスト用時間ｔｔとして、１〜２分が設定されている。図１０（Ａ）は、ディップスイッチ操作後に、監視用センサ６ｘの出力変化がない場合を、図１０（Ｂ）は、ディップスイッチ操作後に、監視用センサ６ｘの出力変化がしばらく生じている場合を示す。図１０（Ａ）及び（Ｂ）に示すように、特定時間ｔｓが動作テスト用時間ｔｔに設定される他は、図９に示す通常の動作の場合と同様の動作を行う。すなわち、特定時間ｔｓ（動作テスト用時間ｔｔ）の間に、監視用センサ６ｘの出力変化が全くない場合（図中「ライフ異常（テスト）送信」のタイミング）に、特定時間ｔｓ内に一度も監視用センサ６ｘからの出力変化がない旨を送信する。
【００４６】
３．警備モード変更装置の動作
以下では、警備システム１の利用者が、警備モード変更装置２に非接触型ＩＣチップ４０をかざしたときの警備モード変更装置２の動作を、図を用いて説明する。本実施形態においては、警備モード変更装置２は、警備ユニット３が警備モードＡに設定されている場合には、警備操作モードＭの設定変更のみを実行可能に構成されている。すなわち、警備モード変更装置２は、警備モードＡに設定されている場合には、警備解除モードＢへの変更のみが実行可能であり、警備解除モードＢに設定されている場合にのみ、以下に説明する親チップ登録モードＭｐ及び子チップ登録モードＭｃへの切り替えを実行可能に構成されている。
【００４７】
３−１．親チップ登録モード
警備モード変更装置２には、かざされた非接触型ＩＣチップ４０を警備モード変更装置２が認識してから、当該認識が継続される認識継続時間ｔｘに関して、警備操作モードＭを設定変更するための警備操作モード変更用時間ｔＭと、警備操作モード変更用時間ｔＭより長い親チップ登録用時間ｔｐとが設定されている。例えば、警備操作モード変更用時間ｔＭは１秒、親チップ登録用時間ｔｐは１３秒に設定される。
【００４８】
３−１−１．警備操作モードの設定変更
警備モード変更装置２は、非接触型ＩＣチップ４０がかざされた時間の長短によって設定変更対象を変更するように構成されている。具体的には、親チップｐが警備操作モード変更用時間ｔＭより短い間かざされた場合に、警備操作モードＭを設定変更する。また、詳しくは後述するが、図３に示すように、より長い間、親チップｐがかざされた場合に、非接触型ＩＣチップ４０に関する登録状態を変更するように構成されている。
【００４９】
３−１−２．親チップの登録
警備モード変更装置２に記憶されていない非接触型ＩＣチップ４０である未登録チップｕが警備操作モード変更用時間ｔＭを越えて親チップ登録用時間ｔｐより長い間かざされた場合に、当該未登録チップｕを親チップｐとして記憶する親チップ登録モードＭｐに切り替わるように構成される。なお、本実施形態においては、警備モード変更装置２は、親チップｐを１つのみ登録可能に構成されている。
また、本実施形態において後述するように、子チップｃの登録が可能な構成においては、登録された子チップｃを、親チップｐとして登録できないように構成される。すなわち、本実施形態においては、未登録チップｕは、親チップｐ及び子チップｃ以外の非接触型ＩＣチップ４０を意味する。
【００５０】
本実施形態における、親チップ登録モードＭｐに切り替わる際の警備モード変更装置２の動作を、図４（Ａ）及び（Ｂ）に示す。図４の例では、非接触型ＩＣチップ４０として、警備システム１の利用者が非接触型ＩＣチップ４０を内蔵するＩＣカードを用いる場合を示している。図４は、上から下へと時系列に警備モード変更装置２の動作を示している。なお、図中、未登録カードは、本願発明における「未登録チップｕ」に、親カードは「親チップｐ」に、子カードは「子チップｃ」に相当する（図５〜７も同様）。
【００５１】
図４（Ａ）に示すように、警備モード変更装置２が警備解除モードＢ（図中「解除」）の状態で、警備システム１の利用者が警備モード変更装置２に未登録カードをかざすと、未登録通知及び未登録チップ報知が行われる。具体的には、警備モード変更装置２は、未登録チップ報知として、「ピーピー」とブザー音が鳴動するように構成されている。
未登録チップ報知終了後もＩＣカードのタッチが継続している場合、第１親チップ登録事前報知が行われる。具体的には、ブザー音の停止と、警備モード変更装置２に設けられたＬＥＤによって橙ランプが点滅する。ここで、報知に際しては、確認信号表示手段２２として設けられたＬＥＤを用いても良い。
さらに時間ｔ１が経過しても、ＩＣカードのタッチが継続している場合、第２親チップ登録事前報知が行われる。具体的には、間欠的に（図の例では０．５秒ごとに）「ピッ」というブザー音が鳴動し、ＬＥＤによって橙ランプが点滅する。
さらに時間ｔ２が経過しても、ＩＣカードのタッチが継続している場合、親チップ登録警告報知が行われる。具体的には、第２親チップ登録事前報知よりも短い間隔で（図の例では０．２５秒ごとに）「ピッ」というブザー音が鳴動するとともにＬＥＤによって橙ランプが点滅する。
【００５２】
時間ｔ３が経過後も、未登録カードのタッチが継続されている場合、警備モード変更装置２は、タッチされている未登録カードの非接触型ＩＣチップ４０を、親チップｐとして記憶する。すなわち、時間ｔ１＋ｔ２＋ｔ３が、本発明における親チップ登録用時間ｔｐに相当する。本実施形態においては、警備モード変更装置２は、親チップ登録モードＭｐにおいて、未登録チップｕを親チップｐとして記憶する際に、記憶している子チップｃの情報を全て消去するように構成されている。なお、子チップｃについては後述する。
【００５３】
警備モード変更装置２は、親チップｐの記憶の後、時間ｔ４の間、親チップ登録完了報知を行う。具体的には、「ピー」とブザー音を鳴動させ、ＬＥＤによって赤ランプを点灯させる。親チップ登録完了報知終了後は、警備解除モードＢに戻る。
【００５４】
なお、図４（Ｂ）に示すように、親チップ登録完了報知を行う前、すなわち、親チップ登録用時間ｔｐ（時間ｔ１＋ｔ２＋ｔ３）経過前にＩＣカードが離された場合、親チップｐの記憶は行わず、即座に警備解除モードＢ（図中「通常表示」）に戻る。
【００５５】
３−２．子チップ登録モード
警備モード変更装置２には、警備操作モード変更用時間ｔＭより長い子チップ登録用時間ｔｃが設定されている。例えば、子チップ登録用時間ｔｃは１３秒に設定される。ここで、子チップｃとは、親チップｐに関連付けて記憶される非接触型ＩＣチップ４０であり、親チップｐと異なり、警備操作モードＭの設定変更のみが実行可能な非接触型ＩＣチップ４０である。警備モード変更装置２は、子チップｃがかざされた場合に、警備操作モードＭを設定変更するように構成されている。
【００５６】
警備モード変更装置２は、親チップｐが、子チップ登録用時間ｔｃより長い間かざされた場合に、子チップ登録モードＭｃに切り替わるように構成されている。警備モード変更装置２は、子チップ登録モードＭｃに切り替わった後、かざされている非接触型ＩＣチップ４０の種類によって、子チップｃの登録もしくは記憶している非接触型ＩＣチップ４０の情報の削除を実行するように構成されている。子チップ登録モードＭｃへの切り替え時の警備モード変更装置２の動作を図５（Ａ）及び（Ｂ）に示す。
【００５７】
図５（Ａ）に示すように、警備解除モードＢにおいて、親カードがタッチされると、親チップタッチ報知を行う。具体的には、「ピー」というブザー音を鳴動させる。
親チップタッチ報知終了後も、親カードのタッチが継続している場合、子チップ登録モード事前報知を行う。具体的には、ブザー音を停止させるとともに、ＬＥＤによって赤ランプを、例えば０．５秒間隔で点滅させる。
時間ｔ１１を経過しても、親カードのタッチが継続している場合、子チップ登録モード切替警告報知を行う。具体的には、間欠的に（図の例では０．２５秒ごとに）「ピッ」というブザー音が鳴動し、ＬＥＤによって赤ランプを子チップ登録モード事前報知よりも短い間隔、例えば０．２５秒間隔で点滅させる。
さらに時間ｔ１２を経過後、親カードのタッチが継続している場合、子チップ登録モード移行報知を行う。具体的には、例えば２秒間、「ピー」というブザー音を鳴動させるとともに、ＬＥＤによって橙ランプの点滅点灯を行う。
子チップ登録モード移行報知終了後、警備モード変更装置２は、子チップ登録モードＭｃに切り替わる。すなわち、時間ｔ１１＋ｔ１２が本願発明における子チップ登録用時間ｔｃに相当する。本実施形態においては、子チップ登録モードＭｃに切り替わると、ブザー音を停止させるとともに、ＬＥＤによって橙ランプの連続点灯を行う。
【００５８】
なお、子チップ登録モードＭｃに切り替わった後、時間ｔ１３を経過すると、警備モード変更装置２は自動的に警備解除モードＢに戻る。また、図５（Ｂ）に示すように、子チップ登録モードＭｃに切り替わった後、時間ｔ１３以内に、既に警備モード変更装置２に記憶されている子カード（本願発明における「子チップｃ」）がタッチされた場合には、時間ｔ１４の間、エラー報知が行われる。ここで、エラー報知としては、「ピーピー」といいうブザー音を鳴動させるとともに、ＬＥＤによって橙ランプを点滅させる。なお、エラー報知後は、警備モード変更装置２は子チップ登録モードＭｃを継続する。
【００５９】
３−２−１．全ＩＤの削除
警備モード変更装置２が、子チップ登録モードＭｃにおいて、親チップｐがかざされた場合に、記憶している非接触型ＩＣチップ４０の情報を全て消去するように構成されている。具体的には、子チップ登録モードＭｃに切り替わった後、親カードを改めてタッチすると、警備モード変更装置２が記憶している親チップｐ及び子チップｃの情報（ＩＤ）を全て削除する。全ＩＤの削除の一例を、図６（Ａ）及び（Ｂ）に示す。
【００６０】
図６（Ａ）に示すように、子チップ登録モードＭｃへ切り替わった後、親カードを改めてタッチされると、全ＩＤ削除警告報知を時間ｔ２１の間行う。具体的には、間欠的に、例えば０．２５秒毎に、「ピッ」というブザー音が鳴動するとともに、ＬＥＤによって赤ランプが点滅する。
全ＩＤ削除警告報知終了後、まだ親カードがタッチされている場合には、記憶されている全ＩＤを削除して全ＩＤ削除完了報知を時間ｔ２２の間行う。具体的には、「ピー」というブザー音を連続出力するととともに、ＬＥＤによって赤ランプが点灯する。
全ＩＤ削除完了報知の後、警備モード変更装置２は、警備解除モードＢに戻る。
【００６１】
なお、図６（Ｂ）に示すように、全ＩＤ削除完了報知前、すなわち時間ｔ２１未満で、親カードが離された場合には、全ＩＤの削除は行わず、警備モード変更装置２は警備解除モードＢに戻る。
【００６２】
３−２−２．子チップの登録
警備モード変更装置２は、子チップ登録モードＭｃにおいて、未登録チップｕがかざされた場合に、当該未登録チップｕを子チップｃとして記憶するように構成されている。本実施形態においては、警備モード変更装置２は、有限個の子チップｃを記憶する子チップ記憶領域を備えている。具体的には、警備モード変更装置２の子チップ記憶領域は、最大で子チップｃを９個まで記憶できるように構成されている。子チップｃの登録の一例を、図７（Ａ）及び（Ｂ）に示す。
【００６３】
図７（Ａ）に示すように、子チップ登録モードＭｃに移行後、未登録カードをタッチすると、子チップ登録警告報知を時間ｔ３１の間行う。具体的には、間欠的に、例えば０．２５秒毎に、「ピッ」というブザー音が鳴動するとともに、ＬＥＤによって橙ランプが点滅する。
子チップ登録警告報知終了後、まだ未登録カードのタッチが継続している場合には、そのカードを子チップ記憶領域に記憶する。また、子チップ登録完了報知を時間ｔ３２の間行う。具体的には、「ピー」というブザー音を連続出力するととともに、ＬＥＤによって赤ランプが点灯する。
その後、警備モード変更装置２は警備解除モードＢに戻る。なお、子チップ登録完了報知前に、未登録カードが離された場合には、警備モード変更装置２は子チップ登録モードＭｃを継続する。
【００６４】
なお、図７（Ｂ）に示すように、既に、子チップ記憶領域が記憶可能な最大個数まで、子チップｃが記憶されている場合には、新たに未登録カードのタッチが行われると、時間ｔ４１の間、第２エラー報知が行われた後、警備解除モードＢに戻る。ここで、第２エラー報知としては、具体的には、「ピッピッピッピッ」というブザー音が鳴動するとともに、ＬＥＤによって橙ランプが点滅する。
【００６５】
４．フローチャート
図３に、本実施形態における警備モード変更装置２の動作をフローチャートで示す。警備モード変更装置２は、利用者により非接触型ＩＣチップ４０がかざされ、非接触型ＩＣチップ４０を読み取ると、まず警備ユニット３が警備解除モードＢであるかを確認する（＃１、＃２）。警備ユニット３が警備解除モードＢの場合、次に、読み取った非接触型ＩＣチップ４０が、警備モード変更装置２に記憶されている親チップｐ、子チップｃ、もしくはそれ以外のチップ（未登録チップｕ）であるかを確認する（＃３）。
【００６６】
＃３で、読み取った非接触型ＩＣチップ４０が未登録チップｕと判定された場合、未登録チップｕがかざされ警備モード変更装置２に認識され続けている認識継続時間ｔｘが、親チップ登録用時間ｔｐより大きいか否かを判定する（＃４）。ここで、認識継続時間ｔｘが親チップ登録用時間ｔｐ以下であった場合には、警備モード変更装置２は警備解除モードＢに戻り、処理を終了する（＃７）。
【００６７】
一方、認識継続時間ｔｘが親チップ登録用時間ｔｐより大きい場合には、上述の親チップ登録モードＭｐに移行し、未登録チップｕを親チップｐとして登録する。すなわち、上述の「親チップの登録」を行う（＃５、＃６）。その後、警備モード変更装置２は警備解除モードＢに戻り、処理を終了する（＃７）。
【００６８】
＃３で、読み取った非接触型ＩＣチップ４０が親チップｐと判定された場合、認識継続時間ｔｘが警備操作モード変更用時間ｔＭより小さいか否かを判定する（＃１１）。認識継続時間ｔｘが警備操作モード変更用時間ｔＭ以下の場合には、警備操作モードＭの切り替えを行う（＃３１）。一方、認識継続時間ｔｘが警備操作モード変更用時間ｔＭより大きい場合、続いて、認識継続時間ｔｘが子チップ登録用時間ｔｃより大きいか否かを判定する（＃１２）。認識継続時間ｔｘが子チップ登録用時間ｔｃ以下の場合には、警備操作モードＭの切り替えを行う（＃３１）。一方、認識継続時間ｔｘが子チップ登録用時間ｔｃより大きい場合には、子チップ登録モードＭｃに移行する（＃１３）。
【００６９】
さらに、一度、非接触型ＩＣチップ４０（親チップｐ）が離された後、新たに読み取った非接触型ＩＣチップ４０の種類を判別し（＃１４）、親チップｐの場合には、上述の「全ＩＤの削除」を（＃１５）、未登録チップｕの場合には、上述の「子チップの登録」を（＃２１）行う。その後、警備モード変更装置２は警備解除モードＢに戻り、処理を終了する（＃７）。なお、＃１４で子チップｃを読み取った場合には、「ピーピー」というブザー音を発するとともに、橙ランプを点滅させた後、待機（子チップ登録モードを継続）する。
【００７０】
＃２において、警備ユニット３が警備モードＡであると判定された場合、読み取った非接触型ＩＣチップ４０の種類を判定する（＃３０）。読み取った非接触型ＩＣチップ４０が、親チップｐまたは子チップｃの場合には、警備操作モードＭの切り替えを行う（＃３１）。一方、未登録チップｕの場合には、何も行わず、処理を終了する（＃７）。
【００７１】
〔その他の実施形態〕
（１）上記実施形態においては、警備モード変更装置２が、子チップｃを記憶し、子チップ登録モードＭｃを備える場合の例を示したが、子チップｃを記憶しない構成としても構わない。この場合、警備モード変更装置２は、図３における＃２１の処理を行わない構成とすると良い。
【００７２】
（２）上記実施形態においては、警備モード変更装置２が、図３の＃１５に示すように、子チップ登録モードＭｃにおいて全ＩＤの削除を実行可能に構成される場合の例を示したが、子チップ登録モードＭｃにおける全ＩＤの削除を実行不可能な構成としても構わない。
【００７３】
（３）上記実施形態においては、警備ユニット３がセンサ確認手段３１を備え、警備モード変更装置２が確認信号受信手段２１及び確認信号表示手段２２を備える構成の一例を示したが、これらの手段を備えない構成としても構わない。
【００７４】
（４）上記実施形態においては、警備モード変更装置２が、いわゆるライフ監視機能を備える場合の例を示したが、警備モード変更装置２がライフ監視機能を備えない構成としても構わない。この場合、警備モード変更装置２は、伝送盤５と電気的に接続されず、図２における各種手段２３〜２７を備えない構成とすると良い。
【産業上の利用可能性】
【００７５】
本発明は、警備領域内に設けられた１つ以上のセンサからの入出力に基づいて警備を行う警備モードと、警備を行なわない警備解除モードとからなる警備操作モードを設定変更可能に構成された警備ユニットと、特定の非接触型ＩＣチップを親チップとして記憶し、前記親チップがかざされた場合に前記警備ユニットにおける警備操作モードを設定変更可能に構成された警備モード変更装置と、を備えた警備システムに適応可能である。
【符号の説明】
【００７６】
１        ：警備システム
２        ：警備モード変更装置
３        ：警備ユニット
４        ：ガスメータ
５        ：伝送盤
６        ：センサ
６ｘ      ：監視用センサ
２１      ：確認信号受信手段
２２      ：確認信号表示手段
２３      ：センサ出力受信手段
２４      ：センサ出力確認手段
２５      ：センサ出力確認結果送信手段
２６      ：動作時間設定手段
２７      ：スイッチング手段
２８      ：遠隔操作受付手段
３１      ：センサ確認手段
４０      ：非接触型ＩＣチップ
Ａ        ：警備モード
Ｂ        ：警備解除モード
Ｍ        ：警備操作モード
Ｍｃ      ：子チップ登録モード
Ｍｐ      ：親チップ登録モード
ｃ        ：子チップ
ｐ        ：親チップ
ｔＭ      ：警備操作モード変更用時間
ｔｃ      ：子チップ登録用時間
ｔｐ      ：親チップ登録用時間
ｔｓ      ：特定時間
ｔｔ      ：動作テスト用時間
ｔｘ      ：認識継続時間
ｕ        ：未登録チップ
【図１】
2014132391.tif 000003
【図２】
2014132391.tif 000004
【図３】
2014132391.tif 000005
【図４】
2014132391.tif 000006
【図５】
2014132391.tif 000007
【図６】
2014132391.tif 000008
【図７】
2014132391.tif 000009
【図８】
2014132391.tif 000010
【図９】
2014132391.tif 000011
【図１０】
2014132391.tif 000012